【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
使用権限を有しない第三者によるコンピュータの不正使用を防止するためのコンピュータの不正使用防止システムであって、
前記コンピュータの使用権限を有する使用者が所持し、少なくともフラグ記憶領域を有するメモリを備えた情報記憶媒体と、
前記コンピュータが備えられている部屋の出入口付近に備えられ、前記情報記憶媒体のフラグ記憶領域に入室を示すフラグを書き込む手段を有する第１の装置と、
前記コンピュータと情報伝送可能に備えられ、前記情報記憶媒体のフラグ記憶領域におけるフラグの有無を読み取る読取手段と前記フラグを消去する消去手段とを有する第２の装置と、
前記第２の装置の前記読取手段からの情報に基づいて、前記情報記憶媒体のフラグ記憶領域にフラグが書き込まれているか否かを確認するフラグ確認手段と、前記フラグ確認手段でフラグが書き込まれていることが確認された場合に、前記コンピュータの処理実行を可能とする状態に制御するパソコンロック制御手段と、前記コンピュータの使用が終了された場合または前記パソコンロック制御手段によって前記コンピュータの処理実行を可能とする状態に制御された場合に、前記第２の装置の前記消去手段を用いて前記フラグを消去するフラグ消去手段と、を有する前記コンピュータと、
を具備することを特徴とするコンピュータの不正使用防止システム。
【請求項２】
前記情報記憶媒体のメモリは、個人を特定可能な固有情報が記憶された固有情報記憶領域を有し、前記第１の装置は、前記固有情報を読み取る読取手段と、前記固有情報と照合する情報が記憶された記憶手段と、前記読取手段で読み取った前記固有情報を前記記憶手段に記憶された情報と照合する照合手段と、前記照合手段による照合処理で照合一致した場合に、前記情報記憶媒体のフラグ記憶領域に入室を示すフラグを書き込む手段と、を有することを特徴とする請求項１に記載のコンピュータの不正使用防止システム。
【請求項３】
使用権限を有しない第三者によるコンピュータの不正使用を防止するためのコンピュータの不正使用防止システムであって、
前記コンピュータの使用権限を有する使用者が所持する情報記憶媒体と、
前記コンピュータが備えられている場所の出入口付近に備えられ、前記情報記憶媒体に前記使用者が入る場所の場所特定情報を書き込む手段を有する第１の装置と、
前記コンピュータと情報伝送可能に備えられ、前記情報記憶媒体に記憶された場所特定情報を読み取る読取手段を有する第２の装置と、
前記コンピュータが備えられている場所の場所特定情報が記憶された記憶手段と、前記第２の装置で読み取った場所特定情報と、前記記憶手段に記憶されている場所特定情報とを照合する場所特定情報照合手段と、前記場所特定情報照合手段での照合結果が一致した場合に、前記コンピュータを起動可能な状態に制御する手段とを有するコンピュータと、
を具備することを特徴とするコンピュータの不正使用防止システム。
【請求項４】
前記コンピュータには、前記コンピュータが正常に起動した際に、前記情報記憶媒体に記憶されている場所特定情報を消去させる消去手段を具備することを特徴とする請求項３に記載のコンピュータの不正使用防止システム。
【請求項５】
使用権限を有しない第三者によるコンピュータの不正使用を防止するためのコンピュータの不正使用防止システムであって、
前記コンピュータの使用権限を有する使用者が所持する情報記憶媒体と、
前記コンピュータが備えられている場所の出入口付近に備えられ、前記情報記憶媒体に前記使用者の入室時刻情報を書き込む手段を有する第１の装置と、
前記コンピュータと情報伝送可能に備えられ、前記情報記憶媒体に記憶された入室時刻情報を読み取る手段を有する第２の装置と、
前記コンピュータを起動可能な時間帯情報が記憶された記憶手段と、前記第２の装置で読み取った入室時刻情報の入室時刻が、前記記憶手段に記憶されている時間帯情報の時間帯内にあるか否かを検証する時刻検証手段と、前記時刻検証手段での検証結果が時間帯内であると判定された場合に、前記コンピュータを起動可能な状態に制御する手段とを有するコンピュータと、
を具備することを特徴とするコンピュータの不正使用防止システム。
【請求項６】
前記コンピュータには、前記コンピュータが正常に起動した際に、前記情報記憶媒体に記憶されている入室時刻情報を消去させる消去手段を具備することを特徴とする請求項５に記載のコンピュータの不正使用防止システム。
【請求項７】
前記情報記憶媒体が、接触ＩＣカード、非接触ＩＣカード、もしくは携帯電話機であることを特徴とする請求項１〜６のいずれかに記載のコンピュータの不正使用防止システム。
【請求項８】
使用権限を有しない第三者によるコンピュータの不正使用を防止するためのコンピュータの不正使用防止方法であって、
前記コンピュータが備えられている部屋の入口から入室する際に、コンピュータの使用権限を有する使用者が所持している情報記憶媒体のフラグ記憶領域に対して、第１の装置でフラグを書き込むステップと、
前記コンピュータによる処理を行なう際に、第２の装置で前記情報記憶媒体にフラグが書き込まれているか否かを識別するステップと、
前記情報記憶媒体にフラグが書き込まれていることを条件に、前記コンピュータによる処理を可能とするステップと、
前記コンピュータによる処理が可能となった場合または前記コンピュータの使用が終了された場合に、前記第２の装置で前記フラグを消去するステップと、
を有することを特徴とするコンピュータの不正使用防止方法。
【請求項９】
前記コンピュータが備えられている部屋の入口から入室する際に、コンピュータの使用権限を有する使用者が所持している情報記憶媒体に記憶されている固有情報を読み取るステップと、
前記固有情報を照合処理するステップと、
を有し、前記照合処理で照合一致することを条件として、フラグ記憶領域に対して、第１の装置でフラグを書き込むことを特徴とする請求項８に記載のコンピュータの不正使用防止方法。
【請求項１０】
使用権限を有しない第三者によるコンピュータの不正使用を防止するためのコンピュータの不正使用防止方法であって、
前記コンピュータが備えられている場所に入る際に、コンピュータの使用権限を有する使用者が所持している情報記憶媒体に対して、第１の装置で、前記場所を特定する場所特定情報を書き込むステップと、
前記コンピュータによる処理を行なう際に、第２の装置で、前記情報記憶媒体に書き込まれている前記場所特定情報を読み出すステップと、
前記第２の装置で読み出した場所特定情報が、予め記憶されている場所特定情報と一致することを条件に、前記コンピュータによる処理を可能とするステップと、
を有することを特徴とするコンピュータの不正使用防止方法。
【請求項１１】
前記コンピュータが正常に起動した際に、前記情報記憶媒体に記憶されている場所特定情報を消去するステップを更に有することを特徴とする請求項１０に記載のコンピュータの不正使用防止方法。
【請求項１２】
使用権限を有しない第三者によるコンピュータの不正使用を防止するためのコンピュータの不正使用防止方法であって、
前記コンピュータが備えられている場所に入る際に、コンピュータの使用権限を有する使用者が所持している情報記憶媒体に対して、第１の装置で、前記使用者の入室時刻を示す入室時刻情報を書き込むステップと、
前記コンピュータによる処理を行なう際に、第２の装置で、前記情報記憶媒体に書き込まれている前記入室時刻情報を読み出すステップと、
前記第２の装置で読み出した入室時刻情報の入室時刻が、予め記憶されている時間帯情報の時間帯内にあることを条件に、前記コンピュータによる処理を可能とするステップと、
を有することを特徴とするコンピュータの不正使用防止方法。
【請求項１３】
前記コンピュータが正常に起動した際に、前記情報記憶媒体に記憶されている入室時刻情報を消去するステップを更に有することを特徴とする請求項１２に記載のコンピュータの不正使用防止方法。